(57)【要約】【課題】外部環境の影響などに拘わらず、記録媒体に多重されたデータを正確に再生することができるホログラム情報記録媒体及びホログラム情報記録再生装置を提供すること。【解決手段】記録媒体３の一つの記録領域３１には、記録媒体３の膨張・収縮を考慮して、多重パラメータが変更されて、略同じ領域に一つの情報群が複数記録されている。すなわち、この記録媒体３の一つの記録領域３１には、レーザ波長λを変えてデータ群Ａ〜Ｄが複数記録されている。具体的には、データ群Ａ〜Ｄは、データＡ1，データＢ1，データＣ1，データＤ1のデータグループＧ1と、データＡ2，データＢ2，データＣ2，データＤ2のデータグループＧ2と、データＡ3，データＢ3，データＣ3，データＤ3のデータグループＧ3との３グループとして一つの記録領域に記録される。【選択図】図３
2006235422.tif 000002
【特許請求の範囲】
【請求項１】
多重パラメータを変更しながら、信号光及び参照光を記録媒体に照射して記録を行うと共に、多重パラメータを変更しながら、前記参照光で回折した再生光を用いて情報を再生するホログラム情報記録媒体であって、多重パラメータが変更されて、略同じ領域に一つの情報群が複数記録されていることを特徴とするホログラム情報記録媒体。
【請求項２】
信号光及び参照光を出射する光源と、前記信号光及び参照光を情報記録媒体に照射する光学系と、前記情報記録媒体に情報を多重して記録する際に、前記情報記録媒体の略同じ領域に一つの情報群が複数記録されるように多重パラメータを制御する多重パラメータ制御手段と、を具備することを特徴とするホログラム情報記録再生装置。
【請求項３】
前記情報記録媒体近傍の温度を検出する温度検出手段と、前記温度検出手段で検出された温度に基づいて情報再生時の多重パラメータの制御に対する補正を行う補正手段と、を具備することを特徴とする請求項２記載のホログラム情報記録再生装置。
【請求項４】
前記多重パラメータは、前記信号光若しくは前記参照光の波長、又は前記信号光若しくは前記参照光を前記記録媒体に照射する角度であることを特徴とする請求項２又は請求項３記載のホログラム情報記録再生装置。
【請求項５】
情報記録媒体を準備する工程と、信号光及び参照光を、多重パラメータを変更しながら、情報記録媒体の略同じ領域に一つの情報群を複数回記録する工程と、を具備することを特徴とするホログラム情報記録方法。
【発明の詳細な説明】
【技術分野】
【０００１】
本発明は信号光及び参照光を干渉させて記録媒体にホログラム情報を記録／再生するホログラム情報記録媒体及びホログラム情報記録再生装置に関する。
【背景技術】
【０００２】
現在、大量のデータを記録しておく媒体として、ＣＤ（コンパクトディスク）やＤＶＤ（ディジタルバーサタイルディスク）などの光記録媒体が広く利用されている。近年、高精細の動画像を記録したいという要望や、パーソナルコンピュータの発達によりさらに大量のデータを記録したいという要望があり、ＣＤやＤＶＤのような光記録媒体では、このような大量のデータを記録するために十分な高密度化を図ることができず、１枚のディスクにこれらの大量のデータを記録することができない。したがって、これらの大量のデータを記録するためには、複数のディスクを交換しながら記録しなければならない。近年、現在のＣＤやＤＶＤなどに比べてかなりの大量のデータを記録することができるホログラム記録媒体が注目されている。
【０００３】
ホログラム情報記録として、ビーム光を互いにコヒーレントな２つの光に分波し、一方の光を空間光変調器でデータ変調して信号光とし、他方の光を参照光として記録媒体上で合波することにより、データを干渉縞として記録する方式がある。そして、この記録媒体に記録時と同じ参照光を照射することにより、信号光を再生光として検出することができ、これによりデータを再生することができる。このホログラム情報記録再生においては、情報再生時の光の波長や照射角度が情報記録時の光の波長や照射角度と異なると信号光が再生されない。この性質を利用して、情報記録再生の光の波長や照射角度を変えて記録媒体の同じ領域にデータを多重して記録することが行われている。
【０００４】
【特許文献１】特開２００２−２１６３５９号公報
【発明の開示】
【発明が解決しようとする課題】
【０００５】
しかしながら、情報記録媒体は通常合成樹脂で構成されているので、外部環境、特に温度が変わると膨張又は収縮を起こす。情報記録媒体に光の波長や照射角度を変えて多重したデータを再生する場合、それぞれの波長やそれぞれの照射角度がデータと関連づけられているので、上記のように温度変化による情報記録媒体が膨張又は収縮すると、情報記録時と異なる条件で情報再生が行われることになり、情報記録媒体上に多重されたデータの再生ができなくなるという問題がある。
【０００６】
本発明はかかる点に鑑みてなされたものであり、外部環境の影響などに拘わらず、記録媒体に多重されたデータを正確に再生することができるホログラム情報記録媒体及びホログラム情報記録再生装置を提供することを目的とする。
【課題を解決するための手段】
【０００７】
本発明のホログラム情報記録媒体は、多重パラメータを変更しながら、信号光及び参照光を記録媒体に照射して記録を行うと共に、多重パラメータを変更しながら、前記参照光で回折した再生光を用いて情報を再生するホログラム情報記録媒体であって、多重パラメータが変更されて、略同じ領域に一つの情報群が複数記録されていることを特徴とする。
【０００８】
この構成によれば、情報記録媒体の温度上昇や下降による膨張・収縮が発生した場合、情報記録時の情報群そのものを読み出すことはできないが、他の情報群を読み出すことができる。情報群は同じものであるので、結果として、外界の温度に関係なく、情報群を正確に再生することができ、外部環境の影響などによる再生不良などを確実に回避することが可能となる。
【０００９】
本発明のホログラム情報記録再生装置は、信号光及び参照光を出射する光源と、前記信号光及び参照光を情報記録媒体に照射する光学系と、前記情報記録媒体に情報を多重して記録する際に、前記情報記録媒体の略同じ領域に一つの情報群が複数記録されるように多重パラメータを制御する多重パラメータ制御手段と、を具備することを特徴とする。
【００１０】
この構成によれば、情報記録媒体に複数の情報群を記録しておくことにより、外部環境の影響などに拘わらず、情報記録媒体に多重された情報を正確に再生することができる。また、この構成によれば、同じ情報群を複数記録して、情報記録媒体の膨張・収縮に対応しているので、レーザ光のダイナミックレンジを大きく変える必要がない。このため、一つのレーザで再生を行うことが可能である。このため、ホログラム情報再生装置の構成を簡易にすることができると共に、安価に構成することが可能となる。
【００１１】
本発明のホログラム情報記録再生装置においては、前記情報記録媒体近傍の温度を検出する温度検出手段と、前記温度検出手段で検出された温度に基づいて情報再生時の多重パラメータの制御に対する補正を行う補正手段と、を具備することが好ましい。
【００１２】
この構成によれば、情報記録媒体近傍の温度を測定して温度−多重パラメータの関係を補正するので、情報再生時の正確な波長を短時間で決定することができる。この結果、情報再生の際の波長制御を迅速に行うことができる。
【００１３】
本発明のホログラム情報記録再生装置においては、前記多重パラメータは、前記信号光若しくは前記参照光の波長、又は前記信号光若しくは前記参照光を前記記録媒体に照射する角度であることが好ましい。
【００１４】
本発明のホログラム情報記録方法は、情報記録媒体を準備する工程と、信号光及び参照光を、多重パラメータを変更しながら、情報記録媒体の略同じ領域に一つの情報群を複数回記録する工程と、を具備することを特徴とする。
【発明の効果】
【００１５】
本発明のホログラム情報記録媒体は、多重パラメータを変更して、略同じ領域に一つの情報群を複数記録するので、外部環境の影響などに拘わらず、記録媒体に多重されたデータを正確に再生することができる。
【発明を実施するための最良の形態】
【００１６】
以下、本発明の実施の形態について添付図面を参照して詳細に説明する。
（実施の形態１）
図１は、本発明の実施の形態１に係るホログラム情報記録再生装置の概略構成を示す図である。図中１は、情報記録又は再生用の光を出射する光源を示す。光源１の後段（光路における光の進行方向上の先行する位置）には、光源１から出射された光を２つのコヒーレントな光に分波して、後段に位置する記録媒体３に照射する第１光学系２が配置されている。記録媒体３の後段には、再生信号を受光する第２光学系４が配置されている。受光系４の後段には、記録媒体に情報を多重して記録する際に多重パラメータを変更する多重パラメータ変更手段である波長制御部５が配置されている。
【００１７】
光源１としては、所定の波長を有するレーザ光を出射する光源などのビーム状の光を出射する光源を用いることができる。例えば、光源１としては、半導体レーザなどを用いることができる。
【００１８】
第１光学系２は、図１に示すように、光源１から出射されたビーム光の光路を変える第１ミラー２１と、ビーム光のビーム径を拡大させるビームエキスパンダ２２と、ビーム光を互いにコヒーレントな２つの光に分波するビームスプリッタ２３と、分波された一方の光の光路を変える第２ミラー２４と、第２ミラー２４で光路が変えられた光にデータ変調を行う空間光変調器２５と、データ変調された信号光を記録媒体３上に集光させるフーリエ変換レンズ２６と、ビームスプリッタ２３で分波された他方の光を記録媒体３上に集光させる集光レンズ２７とを有する。ビームエキスパンダ２２は、第１ミラー２１で光路を変えられたビーム光を拡散させる第１レンズ２２ａ及び拡散した光を平行光にする第２レンズ２２ｂを有する。空間光変調器２５は、例えば２次元配列空間ディジタルフィルタ（透過フィルタ）などで構成することができる。したがって、空間光変調器２５でデータ変調された信号光は２次元パターンを含む。
【００１９】
記録媒体３は、図２に示すように、記録領域３１を有しており、この記録領域３１にデータが多重されている。すなわち、各データは多重パラメータ値に関連づけられており、略同じ領域に多重パラメータを変えて複数のデータ３１ａ，３１ｂが多重されている。したがって、多重パラメータ値を特定することにより、その多重パラメータ値に関連づけられたデータを読み出すことができる。このように、略同じ領域に異なるデータを記録することが可能であるので、記録媒体３上に大容量のデータを記録することが可能となる。なお、記録領域３１に多重する場合、同じ領域に重ねられていても良く、少しずれた状態で重ねられていても良い。記録効率を考慮すると、できるだけ同じ領域に重ねて記録されることが望ましい。
【００２０】
記録媒体３には、ホログラムメモリ用の記録媒体を用いる。例えば、固定記録用ホログラム記録媒体の材料としては、銀塩感光材料、重クロム酸ゼラチン、フォトポリマーなどを用いることができ、書き換え用ホログラム記録媒体の材料としては、光誘起屈折材料、サーモプラスチックなどを用いることができる。
【００２１】
記録媒体３は、上記のような材料を用いるので、温度により膨張・収縮を起こす。この膨張収縮により、図３に示すように、記録されたデータを再生するために必要な光源１の波長はずれてしまう。図３から分かるように、温度が高くなると記録媒体３が膨張して対応する波長が長くなり、温度が低くなると記録媒体３が収縮して対応する波長が短くなる。したがって、記録媒体３が膨張・収縮すると、記録光の波長と異なる再生光の波長で再生を行わないと、すなわち記録媒体３が膨張したときには記録光よりも長い波長で再生し、記録媒体３が収縮したときには記録光よりも短い波長で再生しないと、記録されたデータを正確に再生することができない。なお、図３に示す温度と波長との関係は、記録媒体３を構成する材料により個別のものである。
【００２２】
したがって、この記録媒体３の一つの記録領域３１には、記録媒体３の膨張・収縮を考慮して、多重パラメータが変更されて、略同じ領域に一つの情報群が複数記録されている。すなわち、この記録媒体３の一つの記録領域３１には、多重パラメータ（ここではレーザ波長λ）を変えてデータ群（情報群）Ａ〜Ｄが複数記録されている。具体的には、データ群Ａ〜Ｄは、データＡ1（λ＝６８０ｎｍ），データＢ1（λ＝６８１ｎｍ），データＣ1（λ＝６８２ｎｍ），データＤ1（λ＝６８３ｎｍ）のデータグループＧ1と、データＡ2（λ＝６７６ｎｍ），データＢ2（λ＝６７７ｎｍ），データＣ2（λ＝６７８ｎｍ），データＤ2（λ＝６７９ｎｍ）のデータグループＧ2と、データＡ3（λ＝６８４ｎｍ），データＢ3（λ＝６８５ｎｍ），データＣ3（λ＝６８６ｎｍ），データＤ3（λ＝６８７ｎｍ）のデータグループＧ3との３グループとして一つの記録領域に記録される。なお、データに対応させる波長の差（ここでは１ｎｍ）、グループに属するデータの数、データのグループ数についてはこれに限定されず、適宜変更することができる。グループに属するデータの数は、レーザ波長の可変範囲に応じて決定することが望ましい。また、データのグループ数については、記録媒体３の膨張・収縮の大きさに応じてその膨張・収縮を許容できる範囲で決定することが望ましい。
【００２３】
第２光学系４は、情報再生用の光が記録媒体３に照射されて生じる再生光を拡散するフーリエ変換レンズ４１と、フーリエ変換後の再生光を検出して再生信号を出力する光検出器４２とを有する。光検出器４２は、再生光の２次元パターンに対応する２次元の受光セルアレイを有しており、例えばＰＤアレイ、ＣＣＤ素子アレイ、ＣＭＯＳ素子アレイなどで構成することができる。
【００２４】
波長制御部５は、記録媒体３に情報を多重して記録する際及び情報を再生する際に多重パラメータである波長を変更する。すなわち、情報を多重して記録する際及び情報を再生する際に、それぞれのデータに対応する光源１から出射されるビーム光の波長を変更する。例えば、波長λ1で記録又は再生するデータに対して光源１の波長をλ1に設定し、波長λ2で記録又は再生するデータに対して光源１の波長をλ2に設定する。この波長の変更は、光源１に与える電流値を変更することにより行う。なお、多重パラメータである波長の変更を電流値の制御で行っているが、電流値以外の制御量で多重パラメータである波長を変更しても良い。
【００２５】
次に、上記構成を有するホログラム情報記録再生装置による情報記録方法及び情報再生方法について説明する。ここでは、光源１がレーザであり、多重パラメータとして波長を制御する、すなわちレーザに与える電流値を制御する場合について説明する。なお、本発明はこれに限定されず、多重パラメータ（波長）を制御できれば、レーザに与える電流値以外のパラメータを制御しても良い。
【００２６】
図１に示すホログラム情報記録再生装置は、基本的に、多重パラメータを変更しながら、情報記録用の光を分波した２つのコヒーレントな光を記録媒体に照射して記録を行うと共に、多重パラメータを変更しながら、情報再生用の光で回折した再生光を用いて情報を再生する。
【００２７】
まず、ホログラム情報記録について説明する。ここでは、外界温度が２５℃で記録が行われた場合について説明する。例えば、波長６８０ｎｍでデータＡ1を記録する場合、光源制御部６は光源１が波長６８０ｎｍのビーム光を出射するように電流値を設定する。これにより、光源１から波長６８０ｎｍのビーム光が出射される。このビーム光は、第１ミラー２１でその光路がビームエキスパンダ２２に向けられる。そして、ビーム光はビームエキスパンダ２２の第１レンズ２２ａで拡散され、さらに第２レンズ２２ｂで平行光に変えられる。この平行光はビームスプリッタ２３で互いにコヒーレントな２つの光に分波されて一方の光が第２ミラー２４に向けられ、他方の光が集光レンズ２７に向けられる。
【００２８】
第２ミラー２４で反射された光は、空間光変調器２５でデータ変調される。データ変調された光は、フーリエ変換レンズ２６で信号光Ｘとして記録媒体３上に集光される。一方、ビームスプリッタ２３で分波された他方の光は、集光レンズ２７で参照光Ｙとして記録媒体３上に集光される。
【００２９】
記録媒体３上に信号光Ｘと参照光Ｙとが合波されると、信号光Ｘと参照光Ｙが干渉して、周期的に光の強度が変わる干渉縞が記録媒体３上に形成される。この干渉縞は、合波する２つの光の波面の形状で決まるので、記録媒体３上では、合波する２つの光の波面の形状が情報として記録される。すなわち、記録媒体３上には、データ変調された波面を形成する信号光とデータ変調されていない波面を形成する参照光との間の干渉縞が記録される。このようにして記録媒体３上にデータが記録される。
【００３０】
次いで、光源制御部６は光源１が波長６８１ｎｍのビーム光を出射するように電流値を設定して、上記のようにして記録媒体３の略同じ領域にデータＢ1を記録する。次いで、光源制御部６は光源１が波長６８２ｎｍのビーム光を出射するように電流値を設定して、上記のようにして記録媒体３の略同じ領域にデータＣ1を記録する。次いで、光源制御部６は光源１が波長６８３ｎｍのビーム光を出射するように電流値を設定して、上記のようにして記録媒体３の略同じ領域にデータＤ1を記録する。このようにしてデータグループＧ1を記録媒体３の略同じ領域に記録する。ここでは、グループに属するデータの数は、一つのレーザのレーザ波長の可変範囲である４つ（Ａ〜Ｄ）としている。さらに同様にして、データグループＧ2及びデータグループＧ3を記録媒体３の略同じ領域に記録する。このようにして温度変化により記録媒体３の膨張・収縮が起こっても再生が可能な範囲にデータ記録を行う。
【００３１】
次に、ホログラム情報再生につい波長６８０ｎｍでデータを再生する場合、光源制御部６は光源１が波長６８０ｎｍのビーム光を出射するように電流値を設定する。これにより、光源１から波長６８０ｎｍのビーム光が出射される。このビーム光は、第１ミラー２１でその光路がビームエキスパンダ２２に向けられ、ビームエキスパンダ２２の第１レンズ２２ａで拡散され、さらに第２レンズ２２ｂで平行光に変えられる。この平行光はビームスプリッタ２３を通って、集光レンズ２７で参照光Ｙとして記録媒体３上に集光される。記録媒体３に記録された干渉縞はブラッググレーティングとなっているので、参照光Ｙが照射されると、ブラッグ回折により信号光Ｘと同じ再生光Ｚが得られる。
【００３２】
上述したように、外界の温度により記録媒体３の膨張・収縮が起こるので、この膨張・収縮を考慮して再生を行う必要がある。例えば、外界温度が３０℃と記録時の２５℃よりも高くなると、図３に示すように、一つのレーザのレーザ可変範囲である波長６８０ｎｍ〜６８３ｎｍの再生光でデータＡ1〜Ｄ1（Ｇ1）を再生することはできない。しかしながら、本実施の形態においては、データＡ1〜Ｄ1（Ｇ1）の波長範囲の短波長側にデータＡ2〜Ｄ2（Ｇ2）を記録しているので、データＡ1〜Ｄ1（Ｇ1）及びデータＡ2〜Ｄ2（Ｇ2）を用いてデータの再生を行うことができる。すなわち、一つのレーザのレーザ可変範囲である波長６８０ｎｍ〜６８３ｎｍの範囲では、記録媒体３の温度上昇による膨張のために、データグループＧ1のデータＡ1〜Ｄ1を読み出すことはできないが、データグループＧ2のデータＤ2（波長６８０ｎｍ）、データグループＧ1のデータＡ1（波長６８１ｎｍ）、データグループＧ1のデータＢ1（波長６８２ｎｍ）、データグループＧ1のデータＣ1（波長６８３ｎｍ）を読み出すことができる。データＤ2とデータＤ1とは同じものであるので、結果として、外界の温度に関係なく、データ群Ａ〜Ｄを正確に再生することができ、外部環境の影響などによる再生不良などを確実に回避することが可能となる。
【００３３】
同様に、外界温度が１０℃と記録時の２５℃よりも低くなると、図３に示すように、波長６８０ｎｍ〜６８３ｎｍの再生光でデータＡ1〜Ｄ1（Ｇ1）を再生することはできない。しかしながら、本実施の形態においては、データＡ1〜Ｄ1（Ｇ1）の波長範囲の長波長側にデータＡ3〜Ｄ3（Ｇ3）を記録しているので、データＡ1〜Ｄ1（Ｇ1）及びデータＡ3〜Ｄ3（Ｇ3）を用いてデータの再生を行うことができる。すなわち、レーザ可変範囲である波長６８０ｎｍ〜６８３ｎｍの範囲では、記録媒体３の温度下降による収縮のために、データグループＧ1のデータＡ1〜Ｄ1を読み出すことはできないが、データグループＧ3のデータＡ3（波長６８０ｎｍ）、データグループＧ3のデータＢ3（波長６８１ｎｍ）、データグループＧ3のデータＣ3（波長６８２ｎｍ）、データグループＧ3のデータＤ3（波長６８３ｎｍ）を読み出すことができる。データＡ1〜Ｄ1とデータＡ3〜Ｄ3とは同じものであるので、結果として、外界の温度に関係なく、データ群Ａ〜Ｄを正確に再生することができ、外部環境の影響などによる再生不良などを確実に回避することが可能となる。
【００３４】
このように記録媒体３に複数のデータ群を記録しておくことにより、外部環境の影響などに拘わらず、記録媒体３に多重されたデータを正確に再生することができる。また、この構成においては、同じデータ群を複数記録して、記録媒体３の膨張・収縮に対応しているので、レーザ光のダイナミックレンジを大きく変える必要がない。このため、一つのレーザで再生を行うことが可能である。このため、ホログラム情報再生装置の構成を簡易にすることができると共に、安価に構成することが可能となる。
【００３５】
なお、上記の情報再生方法において、目的のデータを再生するために、レーザ波長を制御する場合は、波長制御部５で、光検出器４２からの再生信号を用い、記録媒体３に記録したデータに含まれるインデックス情報（記録したデータ番地（又はページナンバー）、記録波長、記録温度）などに基づいてレーザ波長を制御する。例えば、上記の例において、外界温度が３０℃で情報再生を行う場合、波長６８０ｎｍで記録したデータＡ1を再生しようとするとき、記録媒体３が膨張しているために、波長６８０ｎｍのレーザ光を情報再生に用いると、データＡ1は再生することができないが、データグループＧ2のデータＤ2を再生することができる。このデータＤ2には、インデックス情報（データＤ2についてのデータ番地、記録波長、記録温度など）が含まれているので、波長制御部５において、データＤ2のインデックス情報を解析して、再生しようとするデータが長波長側にあるのか短波長側にあるのかを判断する。ここでは、データＤ2が再生されたので、再生しようとするデータＡ1が長波長側にあることが分かる。波長制御部５は、この情報に基づいてレーザ光の波長を長波長側に制御してデータＡ1を再生する。このようにして目的とする情報を再生することができる。
【００３６】
（実施の形態２）
本実施の形態においては、記録媒体３近傍の温度に基づいてレーザ波長を補正してデータ再生を行う場合について説明する。図４は、本発明の実施の形態２に係るホログラム情報記録再生装置の概略構成を示す図である。図４において、図１と同じ部分については、図１と同じ符号を付してその詳細な説明は省略する。
【００３７】
図４に示すホログラム情報記録再生装置は、記録媒体３及び／又はその近傍の温度を測定する温度センサ６と、温度センサ６により検出された温度に基づいてレーザ波長の制御量に対する補正量を算出する補正部７とを有する。補正部７は、図３に示すような記録媒体３における温度と波長との関係を示すテーブルを有する。このホログラム情報記録再生装置においては、温度センサ６で検出された温度情報が補正部７に送られる。補正部７においては、上記テーブルを参照して、送られた温度情報と記録媒体３に記録したデータに含まれるインデックス情報（記録したデータ番地、記録波長、記録温度）とを用いて、温度と波長との関係を補正する。この補正は波長制御部５に送られる。波長制御部５では、補正した温度と波長との関係に基づいてレーザ波長（ここでは電流値）を制御する。
【００３８】
ホログラム情報記録については実施の形態１と同様であり、データ群Ａ〜ＤをデータグループＧ1〜データグループＧ3として記録媒体３の略同じ領域に記録する。ホログラム情報再生において、外界温度３０℃において波長６８０ｎｍで記録したデータＡ1を再生しようとするとする。この場合、温度センサ６で記録媒体３近傍の温度を測定する。この温度情報が補正部７に送られる。補正部７においては、電源投下時や情報再生開始時などの初期状態で図３に示す特性の温度と波長との関係を示すテーブルを予め作成する。例えば、図３より、データグループＧ1のデータＡ1については、外界温度１５℃で波長６７７ｎｍであり、外界温度２５℃で波長６８０ｎｍであり、外界温度３５℃で波長６８３ｎｍである。データグループＧ1のデータＢ1については、外界温度１５℃で波長６７８ｎｍであり、外界温度２５℃で波長６８１ｎｍであり、外界温度３５℃で波長６８４ｎｍである。データグループＧ2のデータＤ2については、外界温度１５℃で波長６７６ｎｍであり、外界温度２５℃で波長６７９ｎｍであり、外界温度３５℃で波長６８２ｎｍである。補正部７は、このような温度−波長特性のテーブルを初期状態で作成する。なお、ここでは、テーブルのデータとしてデータＡ1，Ｂ1，Ｄ2を説明しているが、その他のデータグループのデータもテーブルとして作成する。
【００３９】
外界温度３０℃で、波長６８０ｎｍのレーザ光を情報再生に用いてデータＡ1を再生しようとすると、記録媒体３が温度上昇により膨張しているために、記録媒体３が膨張しているために、データＡ1は再生されないが、データグループＧ2のデータＤ2が再生される。このとき、補正部７は、データグループＧ1のデータＡ1について、外界温度１５℃で波長６７８ｎｍであり、外界温度２５℃で波長６８１ｎｍであり、外界温度３５℃で波長６８４ｎｍであるように、データグループＧ1のデータＢ1について、外界温度１５℃で波長６７９ｎｍであり、外界温度２５℃で波長６８２ｎｍであり、外界温度３５℃で波長６８５ｎｍであるように、データグループＧ2のデータＤ2について、外界温度１５℃で波長６７７ｎｍであり、外界温度２５℃で波長６８０ｎｍであり、外界温度３５℃で波長６８３ｎｍであるようにテーブルを更新する。なお、外界温度がテーブルに挙げられている温度以外の温度の場合には、温度と波長との関係に基づいて補間法などの方法で計算により算出する。
【００４０】
このようにテーブルを更新した補正情報は、波長制御部５に送られる。波長制御部５では、補正後の温度−波長関係に基づいてレーザ光の波長を制御してデータＡ1を再生する。このようにして目的とする情報を再生することができる。このように記録媒体３近傍の温度を測定して温度−波長の関係を補正するので、情報再生時の正確な波長を短時間で決定することができる。この結果、情報再生の際の波長制御を迅速に行うことができる。
【００４１】
なお、情報再生時の波長で目的とする情報が再生できた場合には、テーブルの更新は行わない。また、本実施の形態では、補正部７が温度−波長の関係を示すテーブルを有し、そのテーブルを更新する場合について説明しているが、本発明においては、補正部７が温度とインデックス情報（データ番地、記録波長、記録温度など）を有し、温度とインデックス情報を更新するようにしても良い。
【００４２】
上記実施の形態１，２においては、記録媒体３の略同じ領域に、一つのデータ群を複数記録する場合に、波長多重により多重記録した場合について説明しているが、本発明においては、記録媒体３の略同じ領域に、一つのデータ群を複数記録する場合に、角度多重により多重記録を行っても良い。この場合においては、波長多重の場合と異なり、一つのデータ群に対して１グループ分の記録領域を使用するので、記録領域を有効に使用することができる。
【００４３】
本発明は上記実施の形態１，２に限定されず、種々変更して実施することが可能である。例えば、上記実施の形態１，２におけるレーザ波長、データ数、グループ数については、これに限定されず、適宜変更することができる。その他、本発明の目的の範囲を逸脱しない限りにおいて適宜変更して実施することが可能である。
【図面の簡単な説明】
【００４４】
【図１】本発明の実施の形態１に係るホログラム情報記録再生装置の概略構成を示す図である。
【図２】記録媒体上の記録領域を示す図である。
【図３】記録媒体における温度とレーザ波長との関係を示す特性図である。
【図４】本発明の実施の形態２に係るホログラム情報記録再生装置の概略構成を示す図である。
【符号の説明】
【００４５】
１  光源
２  第１光学系
３  記録媒体
４  第２光学系
５  波長制御部
６  温度センサ
７  補正部
２１  第１ミラー
２２  ビームエキスパンダ
２３  ビームスプリッタ
２４  第２ミラー
２５  空間光変調器
２６，４１  フーリエ変換レンズ
２７  集光レンズ
３１  記録領域
４２  光検出器
【図１】
2006235422.tif 000003
【図２】
2006235422.tif 000004
【図３】
2006235422.tif 000005
【図４】
2006235422.tif 000006